(57)【要約】【課題】一度に多量の化粧料を塗布できる上に繊細な塗布も可能な化粧料塗布具を得る。【解決手段】使用者によって把持される棒状の把持部２０Ａと、この把持部２０Ａの先端に取り付けられて化粧料を付着させる塗布部２０Ｂとを有する化粧料塗布具１において、塗布部２０Ｂは、略紡錘形状の部材２０が該部材２０の長手方向に対して傾斜した面により中間で切断された形状のものとされている。また、塗布部２０Ｂにおいて上記面を含んで塗布面となる傾斜面部２１は、上記部材２０の最大径部分を含んで該部分から先端側に拡がった領域に延びている。【選択図】図１
2020110399.tif 000002
【特許請求の範囲】
【請求項１】
使用者によって把持される棒状の把持部と、この把持部の先端に取り付けられて化粧料を付着させる塗布部とを有する化粧料塗布具であって、
前記塗布部が、略紡錘形状の部材が該部材の長手方向に対して傾斜した面により中間で切断された形状のものであり、
前記塗布部において前記面を含んでいる傾斜面部が、前記部材の最大径部分を含んで該部分から先端側に拡がった領域において延びている、
化粧料塗布具。
【請求項２】
前記塗布部の少なくとも一部にフロッキー加工が施されている、請求項１に記載の化粧料塗布具。
【請求項３】
前記塗布部に付着させる対象の化粧料が口唇用化粧料である、請求項１または２に記載の化粧料塗布具。
【請求項４】
前記傾斜面部が平面である、請求項１から３いずれか１項に記載の化粧料塗布具。
【請求項５】
前記傾斜面部が全体的に凹面または凸面である、請求項１から３いずれか１項に記載の化粧料塗布具。
【請求項６】
前記傾斜面部の中に部分的な凹部または凸部が形成されている、請求項１から５いずれか１項に記載の化粧料塗布具。
【請求項７】
前記傾斜面部の先端部分が面取り加工されている、請求項１から６いずれか１項に記載の化粧料塗布具。
【請求項８】
前記傾斜の角度が１０°〜５０°の範囲内にある、請求項１から７いずれか１項に記載の化粧料塗布具。
【請求項９】
前記傾斜の角度が２０°〜４０°の範囲内にある、請求項８に記載の化粧料塗布具。
【請求項１０】
前記把持部が、前記塗布部に向かって断面積が次第に小さくなる部分を有する形状とされている、請求項１から９いずれか１項に記載の化粧料塗布具。
【請求項１１】
前記把持部に、前記断面積が次第に小さくなる部分の断面積最大となる部位よりも把持部の後端側において、径外方に張り出した鍔部が形成されている、請求項１０に記載の化粧料塗布具。
【発明の詳細な説明】
【技術分野】
【０００１】
本発明は化粧料塗布具、特に詳細には、使用者によって把持される把持部の先端に塗布部が取り付けられてなる化粧料塗布具に関するものである。
【背景技術】
【０００２】
従来、例えば特許文献１や特許文献２に示されているように、化粧料を収容する容器本体と、この容器本体を閉じるキャップと、容器本体内に入るようにしてキャップに取り付けられた化粧料塗布具とからなる化粧料容器が知られている。この種の化粧料容器に適用される化粧料塗布具としては、使用者によって把持されるキャップに取り付けられた棒状の把持部と、この把持部の先端に取り付けられて化粧料を付着させるヘラ状の塗布部とを有するものが広く用いられている。
【０００３】
上述の化粧料塗布具を備える化粧料容器においては、容器本体の口部に、いわゆる化粧料の「しごき」を行うしごき部材が装着される。そして化粧料塗布具を使用する場合、化粧料を付着させた化粧料塗布具を容器本体から引き抜く際に、塗布部に付着した余分の化粧料がしごき部材によってしごかれ、適量の化粧料が取り出されるようになっている。
【先行技術文献】
【特許文献】
【０００４】
【特許文献１】特許第５７８４３６８号公報
【特許文献２】特許第６３９３９３４号公報
【発明の概要】
【発明が解決しようとする課題】
【０００５】
化粧料塗布具に対しては、一度に多量の化粧料を塗布可能であることと、ぼかして塗る、細かく塗る等の繊細な塗布が可能であることの双方が望まれることが多い。このことは、多くの化粧料塗布具に広く求められることであるが、上述したような化粧料塗布具に対しては、塗布部のサイズに制限が有る等の事情から、特に強く求められている。また、ヘラ状の塗布部は、塗布対象部である唇等の形状に倣うように弾性変形して化粧料塗布を容易化できる半面、変形しやすくて使用時の安定感に欠けるという難点が認められる。
【０００６】
本発明は上記の事情に鑑みてなされたものであり、一度に多量の化粧料を塗布できる上に繊細な塗布も可能で、安定した使用感も得られる化粧料塗布具を提供することを目的とする。
【課題を解決するための手段】
【０００７】
本発明による化粧料塗布具は、
使用者によって把持される棒状の把持部と、この把持部の先端に取り付けられて化粧料を付着させる塗布部とを有する化粧料塗布具であって、
塗布部が、略紡錘形状の部材が該部材の長手方向に対して傾斜した面により中間で切断された形状のものであり、
塗布部において上記面を含んでいる傾斜面部が、上記略紡錘形状の部材の最大径部分を含んで該部分から先端側に拡がった領域において延びている、
ことを特徴とするものである。
【０００８】
なお、「使用者によって把持される」とは、使用者によって直接把持されることは勿論のこと、前述したキャップ等を介して間接的に把持されることも含むものとする。また上記の「傾斜面部が、・・・先端側に拡がった」とは、塗布部において把持部と反対側に拡がったことを意味するものである。また上記の「最大径部分を含んで該部分から先端側に拡がった」とは、傾斜面部が、ちょうど最大径部分から先端側に拡がっていることも、また最大径部分より把持部側から先端側に拡がっていることも含むものである。
【０００９】
上記構成を有する本発明の化粧料塗布具においては、塗布部の少なくとも一部にフロッキー加工が施されてもよい。
【００１０】
また本発明の化粧料塗布具は、塗布対象の化粧料、つまり塗布部に付着させる化粧料を、口紅やリップグロス等の口唇用化粧料として構成されるのが望ましい。
【００１１】
また本発明の化粧料塗布具において、上記傾斜面部は平面であってもよいし、あるいは全体的に凹面または凸面であってもよい。そして、そのような傾斜面部の中には、部分的な凹部または凸部が形成されていてもよい。
【００１２】
また、上記傾斜面部の先端部分は、面取り加工されていることが望ましい。
【００１３】
また、略紡錘形状の部材を切断する面の傾斜の角度、つまりこの部材の長手方向に対する傾斜の角度は一般に５°〜６０°程度とされるが、好ましくは１０°〜５０°、さらに好ましくは２０°〜４０°程度とされる。
【００１４】
一方、把持部は、塗布部に向かって断面積が次第に小さくなる部分を有する形状とされていることが望ましい。またそのような部分を有する場合、把持部には、その断面積が次第に小さくなる部分の断面積最大となる部位よりも把持部の後端側において、径外方に張り出した鍔部が形成されていてもよい。なお、上記「把持部の後端側」とは、把持部の先端つまり塗布部が取り付けられる端部とは反対の端部側であることを意味する。
【発明の効果】
【００１５】
本発明の化粧料塗布具においては、塗布部が、略紡錘形状の部材が該部材の長手方向に対して傾斜した面により中間で切断された形状のものであり、そして塗布部において上記面を含んでいる傾斜面部は、略紡錘形状の部材の最大径部分を含んで該部分から先端側に拡がった領域において延びているので、この拡がった傾斜面部に多量の化粧料を付着させることができる。そこで使用者は、この傾斜面部を使って唇等に一度に多量の化粧料を塗布することができる。また、塗布部が上述のような形状のものであれば、傾斜面部の裏側に当たる部分、つまり略紡錘形状の部材の周表面は、指のような湾曲面となっている。そこで使用者はこの湾曲面に化粧料を付着させて、化粧料を指で薄く引き伸ばすようにして繊細に塗布することができる。さらに、塗布部が上述のような形状のものであれば、略紡錘形状の部材の周表面と傾斜面部との境界部分は、山の稜線のような形状となることが多い。そこで使用者は、この狭い境界部分に少量の化粧料を付着させて、化粧料を唇等に繊細に塗布することもできる。そして塗布面となる上記傾斜面部は、本来略紡錘形状である部材の一部に形成されているが、化粧料の塗布に際してこの部材は簡単に変形し難いので、安定した使用感を得ることができる。
【図面の簡単な説明】
【００１６】
【図１】本発明の第１実施形態による化粧料塗布具の正面形状と側面形状を示す図
【図２】上記化粧料塗布具が支持部材に取り付けられた状態を示す斜視図
【図３】上記化粧料塗布具が化粧料容器のキャップに取り付けられた状態を示す側面図
【図４】上記化粧料塗布具の使用時の状態を示す一部破断側面図
【図５】本発明の第２実施形態による化粧料塗布具の正面形状と側面形状を示す図
【発明を実施するための形態】
【００１７】
以下、図面を参照して本発明の実施形態について説明する。図１は、本発明の第１実施形態による化粧料塗布具１を示すものであり、（ａ）にその正面形状を、そして（ｂ）にその側面形状を示している。また図２の斜視図は、この化粧料塗布具１の一使用形態として、該化粧料塗布具１が支持部材１０に取り付けられた状態を示している。これらの図１および図２に示されるように化粧料塗布具１は、使用者によって把持される棒状の把持部２０Ａと、この把持部２０Ａの先端に取り付けられて化粧料を付着させる塗布部２０Ｂとを有する。把持部２０Ａと塗布部２０Ｂとは別体に形成されても構わないが、一般には樹脂を使って一体的に形成される。その場合の樹脂としては、例えば熱可塑性エラストマー樹脂等のエラストマー樹脂が好適に使用可能である。
【００１８】
塗布部２０Ｂは、略紡錘形状の部材２０（以下、塗布部材という）が該部材の長手方向に対して傾斜した面により中間で切断された形状のものである。図１には、上記の「略紡錘形状」を明示するために、（ｂ）の側面図に、切断されたと仮定する部分を破線で示している。なお、この「切断された形状」とは、あくまでも形状を示すものであって、元より樹脂成型等によってこの図示の形状としてもよい。あるいは勿論ながら、一度略紡錘形状の部材を得てから、その部材を実際に切断して図示の形状としてもよい。
【００１９】
塗布部２０Ｂには、上記面（切断したと仮定する面）を含んでいる傾斜面部２１が形成されている。この傾斜面部２１は、上記略紡錘形状の塗布部材２０の最大径部分を含んで、該部分から先端側（把持部２０Ａと反対側で図中の下側）に拡がった領域に延びている。上記の最大径部分とは、図１（ｂ）の側面図に矢印Ｄで示す最大径を有する部分である。
【００２０】
最大径（直径）Ｄは一般には３ｍｍ〜５ｍｍ程度とされるが、それに限られるものではない。一方、塗布部２０Ｂの長さは、一般には１０ｍｍ〜１５ｍｍ程度とされるが、それに限られるものではない。また上記「傾斜」の角度を、図１（ｂ）においてθで示す。この傾斜角θは例えば５°〜６０°の範囲内の角度とされるが、好ましくは１０°〜５０°の範囲内、さらに好ましくは２０°〜４０°の範囲内の角度とされる。本実施形態では、一例としてθ＝３０°である。なお塗布部材２０は、略紡錘形状の一部を成す形状であればよく、特定の断面形状を有するような部材に限られるものではない。例えば、その最大径部分で長軸に対して直角な面で切断した場合、その切断面の形状が楕円になるような形状であってもよいし、あるいは真円になるような形状であってもよい。さらには塗布部材２０は、切断面の形状が滑らかな楕円あるいは真円である部材に限らず、切断面の形状が一辺の長さが極く短い多角形で概略楕円あるいは真円となっているような部材であってもよい。
【００２１】
図１（ｂ）の側面図に明示されるように、傾斜面部２１の先端部分２２は面取り加工されている。この先端部分２２とは、把持部２０Ａと反対側つまり図中の下側の端部分であり、側面視状態で、塗布部材２０の略紡錘形状をなす周表面と傾斜面部２１とが鋭角をなす側の端部分である。この先端部分２２は、塗布部材２０の周表面と傾斜面部２１との境界部分であって、本例では山の稜線のような狭い形状となっている。この先端部分２２における上記の面取り加工は、例えば半径０．２ｍｍ程度で断面円弧状にする加工とされるが、それに限るものではない。
【００２２】
一方把持部２０Ａは、塗布部２０Ｂに繋がる端部２３が、塗布部２０Ｂに向かって次第に断面積が小さくなる形状とされている。またこの把持部２０Ａは、支持部材１０内に固定される例えば円柱状の延伸部２４を有する。この延伸部２４を含めた把持部２０Ａの全長は、支持部材１０の長さに対応させて適宜設定すればよい。
【００２３】
以上説明した化粧料塗布具１は、例えば図３および図４に示すようにして用いられる。この場合は、口紅、グロス等の口唇用化粧料、特に液状、ペースト状あるいはゲル状の口唇用化粧料を塗布するために用いられ、その種の化粧料を収容した容器本体３０を閉じるキャップ１５の支持部材１０に化粧料塗布具１が取り付けられる。この取付けの状態は、図１に示される通りであって、延伸部２４が支持部材１０の内部に固定される。図３は、容器本体３０からキャップ１５が外されている状態を示し、図４は容器本体３０にキャップ１５が組み合わされた状態を示している。前者の状態では、キャップ１５の支持部材１０の先端側に塗布部材２０が露出している。
【００２４】
図４に明示されるように、化粧料塗布具１が取り付けられた支持部材１０は、キャップ１５の中央部においてキャップ開放端側に突出している。したがってキャップ１５が、容器本体３０の口部３５に形成された雄ネジ３１に螺合させて該容器本体３０に組み合わされると、化粧料塗布具１の塗布部材２０が容器本体３０の内部に進入する。このとき、容器本体３０の中に化粧料Ｍが収容されていれば、塗布部材２０は化粧料Ｍに浸漬される。それにより、傾斜面部２１を含む塗布部材２０の表面に化粧料Ｍが付着する。
【００２５】
その後、使用者が化粧料Ｍを唇等に塗布する際には、キャップ１５が上記螺合を解いて、容器本体３０から取り外される。それにより、支持部材１０およびそこに固定されている塗布部材２０が容器本体３０から引き抜かれる。なお、容器本体３０の口部３５の内周面には、シゴキ部材３２が取り付けられている。そのため、引き抜かれる塗布部材２０はそのシゴキ部材３２の環状内端３３でシゴかれ、塗布部材２０に付着している余分な化粧料Ｍが掻き落とされる。
【００２６】
以上の通りにして、使用者が容器本体３０から取り外して把持したキャップ１５においては、支持部材１０の先端に有る塗布部材２０に適量の化粧料Ｍが付着している状態となる。そこで使用者は、把持しているキャップ１５を適宜動かしながら、塗布部材２０に付着している化粧料Ｍを唇等に塗布することができる。
【００２７】
このときの化粧料Ｍの塗布に関して、図１に戻って詳しく説明する。塗布部材２０に形成されている傾斜面部２１は、塗布部材２０の最大径部分を含んで該部分から先端側に拡がった領域において延びているので、この拡がった傾斜面部２１に多量の化粧料Ｍを付着させ得る。そこで使用者は、この傾斜面部２１を使って唇等に一度に多量の化粧料を塗布することができる。
【００２８】
また、傾斜面部２１の裏側に当たる部分、つまり塗布部材２０の周表面は、指の表面のような湾曲面となっている。そこで使用者はこの湾曲面に化粧料Ｍを付着させて、化粧料Ｍを指で薄く引き伸ばすようにして繊細に、例えばぼかすように塗布することができる。
【００２９】
さらに、前述した通り、塗布部材２０の周表面との境界部分である傾斜面部２１の先端部分２２は、山の稜線のような狭い形状となっている。そこで使用者は、この狭い先端部分２２に少量の化粧料Ｍを付着させて、化粧料Ｍを唇等に繊細に塗布することもできる。そして塗布面となる傾斜面部２１は、本来略紡錘形状である塗布部材２０の一部に形成されているが、化粧料Ｍの塗布に際してこの塗布部材２０は簡単に変形し難く、よって安定した使用感を得ることができる。
【００３０】
なお、傾斜面部２１の先端部分２２は、前述したような面取り加工が施されている。上記のように該先端部分２２に少量の化粧料Ｍを付着させて繊細な塗布を行うにしても、その付着量が余りにも少なければ効率良く化粧することができない。それに対して、上記の面取り加工が先端部分２２に施されていれば、この先端部分２２に十分な量の化粧料Ｍを付着させることが可能になる。また、面取り加工によって先端部分２２の断面形状が丸みを帯びた形になっていれば、肌に優しい塗布感を得ることができる。
【００３１】
一方、前述したように把持部２０Ａは、塗布部２０Ｂに繋がる端部２３が、塗布部２０Ｂに向かって次第に断面積が小さくなる形状とされている。つまり把持部２０Ａの端部２３は、一部が細くなった形状となっている。そこで、化粧料Ｍを塗布する際にはこの細くなっている部分が「しなり」を生じて、化粧料Ｍの塗布がし易くなる。
【００３２】
なお、塗布面となる傾斜面部２１は、良好な塗布感を得たり、あるいは化粧料Ｍの付着量を調整したりするために平面とされてもよいし、あるいは全体的に凹面または凸面であってもよい。さらに、そのような傾斜面部２１の中に、部分的な小さい凹部または凸部が形成されていてもよい。
【００３３】
また、化粧料Ｍの担持量をより多くするために、塗布部２０Ｂの少なくとも一部にフロッキー加工（静電植毛処理）が施されてもよい。
【００３４】
次に図５を参照して、本発明の第２実施形態による化粧料塗布具２について説明する。なおこの図５において、先に説明した図１中のものと同等の要素には同番号を付してあり、それらについての説明は特に必要の無い限り省略する。また以下では、図１の化粧料塗布具１とこの化粧料塗布具２とにおいて相対応する部分が有ればその対応関係だけを説明して、重複した説明は省略する。
【００３５】
図５に示す化粧料塗布具２は図１の化粧料塗布具１と比べると、傾斜面部２１が塗布部材２０の長軸となす角度θをより小さくした点で基本的に異なる。すなわち本実施形態では、上記角度θ＝９．８°である。このようにすることにより、本実施形態において塗布面となる傾斜面部４１は、図１の化粧料塗布具１における傾斜面部２１よりも長く拡がっているので、多量の化粧料Ｍを付着させる上で有利となる。
【００３６】
なお図５の（ａ）および（ｂ）における図示の仕方は、図１の（ａ）および（ｂ）における図示の仕方と同じである。また図５における塗布部材４０、把持部４０Ａ、塗布部４０Ｂ、傾斜面部４１、先端部分４２、端部４３、延伸部４４は各々、図１における塗布部材２０、把持部２０Ａ、塗布部２０Ｂ、傾斜面部２１、先端部分２２、端部２３、延伸部２４と対応する。
【００３７】
図５に示す化粧料塗布具２は図１の化粧料塗布具１と異なって、把持部４０Ａに、径外方に張り出した鍔部４５を有している。この鍔部４５は、断面積が次第に小さくなる上記端部４３の断面積最大となる部位よりも把持部４０Ａの後端側に（つまり塗布部４０Ｂが取り付けられる先端とは反対の端部側に）形成されている。なお上記の「径外方に張り出した」とは、鍔部４５の平面視状態（図５中で上から下に見た状態）における中心部から径外方に拡がって、端部４３の断面積最大となる部位の外周と揃う位置まで張り出している、あるいは上記外周を超えた位置まで張り出していることを意味するものとする。このような鍔部４５を設けておくことにより、把持部４０Ａの端部４３へ過剰な化粧料Ｍが付着することを防止できる。鍔部４５によりこのような効果が得られる理由は、化粧料塗布具２の塗布部材４０を、図４に示すような容器本体３０の内部に進入させて化粧料Ｍに浸漬させる際に、鍔部４５が存在するために端部４３の細くくびれた部分に化粧料Ｍが入り難くなっているため、そして、化粧料塗布具２を容器本体３０から引き抜く際に鍔部４５が庇の役割を果たして、端部４３に化粧料Ｍが溜まり難くなっているためと考えられる。
【００３８】
また図５に示す化粧料塗布具２は図１の化粧料塗布具１と異なって、傾斜面部４１の先端部分４２に面取り処理は施されていない。すなわちこの化粧料塗布具２において傾斜面部４１は、塗布部材４０の周表面となす角度が鋭角とならないように形成されているので、この先端部分４２には元より比較的多量の化粧料Ｍが付着可能となっている。
【００３９】
なお、化粧料塗布具１あるいは化粧料塗布具２によって塗布される化粧料Ｍは、口唇用化粧料に限られるものではなく、本発明の化粧料塗布具は、その他の化粧料例えばコンシーラーを塗布するため等にも適用され得るものである。また本発明の化粧料塗布具は、化粧料容器のキャップに取り付ける形態に限らず、単独で取り扱われるものとして形成されてもよい。
【符号の説明】
【００４０】
１、２    化粧料塗布具
１０    支持部材
２０、４０    塗布部材
２０Ａ、４０Ａ  把持部
２０Ｂ、４０Ｂ  塗布部
２１、４１    傾斜面部
２２、４２    傾斜面部の先端部分
２３、４３    把持部の端部
Ｍ    化粧料
【図１】
2020110399.tif 000003
【図２】
2020110399.tif 000004
【図３】
2020110399.tif 000005
【図４】
2020110399.tif 000006
【図５】
2020110399.tif 000007